【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
蒸気発生システム（１００）内の作動流体の状態が変化する時に当該作動流体によって吸収された全エネルギーを算定すること、
前記蒸気発生システム（１００）への入熱を求めるために前記蒸気発生システム（１００）によって吸収された前記全エネルギーを前記蒸気発生システム（１００）の効率で除算すること、及び、
前記蒸気発生システム（１００）への前記入熱から炭素排出量を求めること、
を包含する方法。
【請求項２】
前記蒸気発生システム（１００）内の作動流体の状態が変化する時に当該作動流体によって吸収された全エネルギーを算定することは、
前記蒸気発生システム（１００）に流入する給水の第１エネルギーを測定すること、
前記蒸気発生システム（１００）から流出する蒸気又は水の第２エネルギーを測定すること、及び、
前記蒸気発生システムへの前記入熱から炭素排出量を求めること、
を含む、請求項１に記載の方法。
【請求項３】
煙道ガスの酸素含有量及び空気加熱器の出口のグリッドにおける煙道ガスの温度を測定することをさらに含む、請求項２に記載の方法。
【請求項４】
前記蒸気発生システム（１００）からの燃料及び灰を定期的にサンプリングし、当該燃料及び灰を分析することをさらに含む、請求項２に記載の方法。
【請求項５】
燃料及び灰を分析したデータベースを維持し、前記データベースからのデータを用いて前記蒸気発生システム（１００）への前記入熱を正確に求めることをさらに含む、請求項２に記載の方法。
【請求項６】
前記データベースを、履歴記録を蓄積するために用い、前記履歴記録を、最も不確実性の低い結果を分析するために用いる、請求項５に記載の方法。
【請求項７】
前記最も不確実性の低い結果を分析することは、受容ベースに加えて、水分及びアッシュフリーベースで行なわれ、前記受容ベースは、受容時の燃料に関連する、請求項６に記載の方法。
【請求項８】
前記炭素排出量を、以下の式（１１）、（１２）、及び（１３）から求めることができ、
【数１１】
2012529052.tif 000001
、
【数１２】
2012529052.tif 000002
及び
【数１３】
2012529052.tif 000003
式中、ＭｑＣＯ２、ＭｅＣＯ２、及びＭｔｅＣＯ２は、それぞれ、１ＢＴＵ当たりのポンド数で表される二酸化炭素の質量、１ｋＷ当たりの二酸化炭素排出量、１時間当たりのトン数で表される二酸化炭素排出量であり、ＭＦｒＣＦは、燃料中の炭素の質量分率であり、ＭｑＣＯ２は、１ＢＴＵ当たりのポンド数で表される二酸化炭素の質量であり、ＭＷＣＯ２は、二酸化炭素の分子量であり、ＭＷＣは、炭素の分子量であり、ＱＦＩＲＥＤは、前記蒸気発生システム（１００）への前記入熱である、請求項２に記載の方法。
【請求項９】
酸化窒素、二酸化硫黄、及び一酸化炭素の量を、以下の式（１４）及び（１５）を用いて求め、
【数１４】
2012529052.tif 000004
及び
【数１５】
2012529052.tif 000005
式中、ＭｑＥｍ、ＭｅＥｍ、及びＭｔｅＥｍは、それぞれ、酸化窒素、二酸化硫黄又は一酸化炭素排出量のいずれかの、１ＢＴＵ当たりのポンド数で表される質量、１ｋＷ当たりの排出量、１時間当たりのトン数で表される排出量であり、ＱＦＩＲＥＤは、前記蒸気発生システム（１００）への前記入熱である、請求項２に記載の方法。
【請求項１０】
前記蒸気発生システムによって吸収された前記全エネルギーを、式（８）から求め、
【数８】
2012529052.tif 000006
式中、ＱＭＳは、主蒸気の全エネルギーであり、ＭＭＳｓｐｒａｙは、主蒸気に導入された噴霧の全エネルギーであり、ＱＢｄは、ブローダウン蒸気の全エネルギーであり、ＱＳＢは、すす吹き蒸気の全エネルギーであり、ＱＡＵＸは、補助蒸気の全エネルギーであり、ＱＲＨは、再加熱蒸気の全エネルギーであり、ＱＲｈｓｐｒａｙは、再加熱蒸気に導入された噴霧の全エネルギーである、請求項２に記載の方法。
【請求項１１】
前記主蒸気ＱＭＳの前記全エネルギーを、式（１）によって求め、
【数１】
2012529052.tif 000007
式中、ＭＦＷは、前記給水の質量、ＭＳＢは、前記すす吹き蒸気の質量、ＭＢｄは、前記ブローダウン水の質量、ＭＡｕｘは、前記補助蒸気の質量、ＨＭＳは、前記主蒸気のエンタルピー、ＨＦＷは、前記給水のエンタルピーである、請求項１０に記載の方法。
【請求項１２】
前記すす吹き蒸気の前記全エネルギーを、以下の式（２）によって求め、
【数２】
2012529052.tif 000008
式中、ＱＳＢは、すす吹き蒸気の全エネルギーであり、ＭＳＢは、前記すす吹き蒸気の質量であり、ＨＦＷは、前記給水のエンタルピーであり、Ｈｓｂは、前記すす吹き蒸気のエンタルピーである、請求項１０に記載の方法。
【請求項１３】
前記ブローダウン水ＱＢｄの前記全エネルギーを、以下の式（３）によって求め、
【数３】
2012529052.tif 000009
式中、ＭＢｂは、ブローダウン水の質量であり、ＨＦＷは、給水のエンタルピーであり、Ｈｂｄは、ドラム圧の飽和条件における前記ブローダウン水のエンタルピーである、請求項１０に記載の方法。
【請求項１４】
前記補助蒸気ＱＡＵＸの前記全エネルギーを、以下の式（４）によって求め、
【数４】
2012529052.tif 000010
式中、ＭＡＵＸは、補助蒸気の質量であり、ＨＦＷは、給水のエンタルピーであり、ＨＡＵＸは、前記補助蒸気のエンタルピーである、請求項１０に記載の方法。
【請求項１５】
前記主蒸気への噴霧によって吸収された前記全エネルギーは、以下の式（５）によって求められ、
【数５】
2012529052.tif 000011
式中、ＱｒＭＳｓｐｒａｙ及びＭｒＭＳｓｐｒａｙは、それぞれ、前記主蒸気への噴霧のエネルギー比率及び前記主蒸気への前記噴霧のｚ質量率であり、ＨＭＳは前記主蒸気のエンタルピーであり、ＨＭＳｓｐｒａｙは、前記主蒸気への噴霧のエンタルピーである、請求項１０に記載の方法。
【請求項１６】
前記再加熱蒸気において吸収された前記全エネルギーを、以下の式（６）によって求め、
【数６】
2012529052.tif 000012
式中、ＱｒＲＨ及びＭｒＣＲＨは、それぞれ、前記再加熱蒸気の前記エネルギー比率及び前記質量率であり、ＨＨＲＨ及びＨＣＲＨは、それぞれ、高温の再加熱蒸気及び低温の再加熱蒸気のエンタルピーである、請求項１０に記載の方法。
【請求項１７】
前記再加熱蒸気への噴霧によって吸収された前記全エネルギーを、以下の式（７）によって求め、
【数７】
2012529052.tif 000013
式中、ＱｒＲＨｓｐｒａｙ及びＭｒＲＨｓｐｒａｙは、前記再加熱蒸気への前記噴霧のエンタルピー比率及び質量比率であり、ＨＨＲＨ及びＨＲＨＲＨＳｐｒａｙは、それぞれ、高温の再加熱蒸気のエンタルピー及び前記再加熱蒸気への噴霧のエンタルピーである、請求項１０に記載の方法。
【請求項１８】
前記蒸気発生システムへの燃料流量を以下の式（１５ａ）によって求めることをさらに含み、
【数１５ａ】
2012529052.tif 000014
式中、ＱＦＩＲＥＤは、前記蒸気発生システムへの前記入熱であり、ＨＨＶは、高位発熱量を表す、請求項２に記載の方法。
【請求項１９】
位置ｚより前方の前記蒸気発生システム（１００）に流入する乾燥した空気の量を式（２９）によって求めることをさらに含み、
【数２９】
2012529052.tif 000015
式中、Ｍｑは、１ＢＴＵ当たりのｌｂｓで表される質量を表し、ＭｑＤＡｚは、位置ｚにおける１ＢＴＵ当たりのポンド数で表される乾燥した空気の質量を表し、ＭｑＴｈＡＣｒは、燃料１ポンド当たりのポンド数で表される理論空気の、１ＢＴＵ当たりのポンド数で表される質量を表し、ＸｐＡｚは、位置ｚにおける酸素量湿度基準に基づく過剰空気を表す、請求項２に記載の方法。
【請求項２０】
位置ｚより前方の前記蒸気発生システム（１００）に流入する湿った空気を式（３１）及び（３２）によって求めることをさらに含み、
【数３１】
2012529052.tif 000016
及び
【数３２】
2012529052.tif 000017
式中、用語Ｍｑは、１ＢＴＵ当たりのポンド数で表される質量を表し、ＭｑＡｚは、位置ｚにおける、ポンド数で表される乾燥した空気の質量を表し、ＭＦｒＷＡは、湿った空気の質量分率であり、ＭｑＤＡｚは、位置ｚにおける、１ＢＴＵ当たりのポンド数で表される乾燥した空気の質量を表し、ＭＦｒＤＡｚは、位置ｚにおける乾燥した空気の質量分率を表す、請求項２に記載の方法。
【請求項２１】
燃料からの前記湿ったガスを以下の式（３３）によって求めることをさらに含み、
【数３３】
2012529052.tif 000018
式中、用語ＭｑＦｇＦは、１ＢＴＵ当たりのポンド数で表される燃料中の湿ったガスの質量であり、ＭｐＡｓＦは、燃料中の灰の質量パーセントであり、ＭｐＵｂＣは、未燃炭素の質量パーセントであり、ＭＦｒＳｃは、捕捉した硫黄の部分質量であり、ＭｐＳＦは、燃料中の硫黄の質量パーセントである、請求項２に記載の方法。
【請求項２２】
１ＢＴＵ当たりのポンド数で表される前記全湿った煙道ガスの重量を式（４１）によって求めることをさらに含み、
【数４１】
2012529052.tif 000019
式中、ＭｑＦｇｚは、１ＢＴＵ当たりのポンド数で表される位置ｚにおける燃料中の湿ったガスの質量であり、ＭｑＤＡｚは、１ＢＴＵ当たりのポンド数で表される位置ｚにおける乾燥した空気の質量を表し、ＭｑＷＡｚは、１ＢＴＵ当たりのポンド数で表される位置ｚにおける湿った空気の質量を表し、ＭｇＦｇＦは、１ＢＴＵ当たりのポンド数で表される燃料中の湿ったガスの質量であり、ＭｑＣＯ２Ｓｂは、１ＢＴＵ当たりのポンド数で表される吸着剤中の二酸化炭素の質量であり、ＭｑＷＳｂは、１ＢＴＵ当たりのポンド数で表される湿った吸着剤の質量であり、ＭｑＷＡＤｚは、１ＢＴＵ当たりのポンド数で表される、燃焼した燃料１ポンド当たりに追加された水分の質量である、請求項２に記載の方法。
【請求項２３】
燃焼した炭素に対して補正された前記理論空気を式（２１）によって求めることをさらに含み、
【数２１】
2012529052.tif 000020
式中、ＭＦｒＴｈＡＣｒは、燃料１ポンド当たりのポンド数で表される燃焼した炭素に対して補正された前記理論空気であり、ＭＦｒＳｃは、硫黄捕捉の質量分率であり、ＭｐＣｂ、ＭｐＨ２Ｆ、ＭｐＳＦ、及びＭｐＯ２Ｆは、それぞれ、炭素の質量パーセント、燃料中の水素の質量パーセント、燃料中の硫黄の質量パーセント、及び燃料中の酸素の質量パーセントである、請求項２に記載の方法。
【請求項２４】
前記蒸気発生システムの効率を、修正したＡＳＭＥ−ＰＴＣ４の方法によって求める、請求項２に記載の方法。
【請求項２５】
前記蒸気発生システム（１００）はボイラ（１０）である、請求項２に記載の方法。
【請求項２６】
前記作動流体は水である、請求項１に記載の方法。
【請求項２７】
前記作動流体によって吸収された前記全エネルギーを算定することは、前記蒸気発生システム（１００）に流入する時の前記作動流体の第１エネルギー及び前記蒸気発生システム（１００）から流出する時の前記作動流体の第２エネルギーを測定することと、前記第２エネルギーから前記第１エネルギーを引くこととを含む、請求項１に記載の方法。
【請求項２８】
前記第１エネルギーは、前記蒸気発生システム（１００）に流入する時の給水のエネルギーである、請求項２７に記載の方法。
【請求項２９】
前記給水のエネルギーは、流量の不確実性が１.５％未満である給水流量測定を繰り返し検証することにより求められる、請求項２８に記載の方法。
【請求項３０】
前記第２エネルギーは、前記蒸気発生システム（１００）から流出する時の蒸気のエネルギーである、請求項２７に記載の方法。
【請求項３１】
前記炭素排出量は、以下の式（１１）、（１２）、及び（１３）から求めることができ、
【数１１】
2012529052.tif 000021
、
【数１２】
2012529052.tif 000022
及び
【数１３】
2012529052.tif 000023
式中、ＭｑＣＯ２、ＭｅＣＯ２、及びＭｔｅＣＯ２は、それぞれ、１００万ＢＴＵ当たりのポンド数で表される二酸化炭素の質量、１キロワット当たりの二酸化炭素のポンド数、１時間当たりの二酸化炭素のトン数であり、ＭＦｒＣＦは、燃料中の炭素の質量分率であり、ＭｑＣＯ２は、１００万ＢＴＵ当たりのポンド数で表される二酸化炭素の質量であり、ＭＷＣＯ２は、二酸化炭素の分子量であり、ＭＷＣは、炭素の分子量であり、ＱＦＩＲＥＤは、前記蒸気発生システムへの前記入熱である、請求項１に記載の方法。
【請求項３２】
前記蒸気発生システム（１００）の効率は、修正したＡＳＭＥ−ＰＴＣ４の方法によって求められる、請求項１に記載の方法。